(57)【要約】【課題】  床面積当たりの空気浄化効率を高めることができると共に、高密度で多様な植栽の緑化が可能で、空間利用効率も高い室内空気清浄緑化装置を提供する。【解決手段】  土壌層４を有し外周面に植物５が植えられる通気可能な外周壁１と、この外周壁１の下方に設けられて土壌層４の排水を受ける貯水タンク３と、ファン２とを備える。ファン２は、外周壁１による囲み空間６内に被浄化空気を導入しその導入空気を土壌層４内を通過させて外周壁１の外部に排出させる。【選択図】      図１
2014064517.tif 000002
【特許請求の範囲】
【請求項１】
土壌層を有し外周面に植物が植えられる通気可能な外周壁と、この外周壁による囲み空間内に被浄化空気を導入しその導入空気を前記土壌層内を通過させて前記外周壁の外部に排出させるファンと、前記外周壁の下方に設けられて前記土壌層の排水を受ける貯水タンクとを備える室内空気清浄緑化装置。
【請求項２】
請求項１に記載の室内空気清浄緑化装置において、前記貯水タンクの水を前記土壌層内に供給する灌水装置を設けた室内空気清浄緑化装置。
【請求項３】
請求項１または請求項２記載の室内空気清浄緑化装置において、前記囲み空間を、前記ファンによる空気の吸気口を除いて気密状態に保つ密閉手段を設けた室内空気清浄緑化装置。
【請求項４】
請求項１ないし請求項３のいずれか１項に記載の室内空気清浄緑化装置において、前記囲み空間内に被清浄空気を導入するダクトを設けた室内空気清浄緑化装置。
【請求項５】
請求項１ないし請求項４のいずれか１項に記載の室内空気清浄緑化装置において、前記外周壁が、壁厚方向の内外にそれぞれ配置された内周側および外周側の網体と、これら内周側および外周側の網体間に充填された前記土壌層と、前記内周側の網体に沿って設けられた土留めシートとでなる室内空気清浄緑化装置。
【発明の詳細な説明】
【技術分野】
【０００１】
この発明は、室内の空気を清浄化する機能と緑化機能とを備えた室内空気清浄緑化装置に関する。
【背景技術】
【０００２】
従来のこの種の室内空気清浄緑化装置の各例を、図１３，図１４にそれぞれ示す。図１３の例は、空気清浄機能を有する収納ケース３１内に、植物３２を植えたプランター３３を設置したものである（特許文献１）。図１４の例は、空気清浄器４１の上に、植物４２を植えた植木鉢４３を設置したものである。
【先行技術文献】
【特許文献】
【０００３】
【特許文献１】特許第４６０１１０２号公報
【特許文献２】特願２００２−３４５７３７号
【発明の概要】
【発明が解決しようとする課題】
【０００４】
図１３，図１４等に示す従来の室内空気清浄緑化装置では、以下に挙げるような課題がある。
（１）植木鉢やプランターなど緑化装置として非常に小型なものが多く、広い緑化面積を確保するには、例えば複数のプランターを並べる必要がある。そのため、大規模な室内空間の空気浄化を行うには、大きな設置スペースが必要となる。
（２）植木鉢やプランター毎に空気清浄器を組み合わせた装置構成であるため、同じ構成の装置を多数配置することになり構成の無駄が多い。
（３）緑化装置の構成が、いわゆる地植え状態であるため、床面積に対して低密度の植物量しか望めず、十分な緑化が図れない。
（４）空気清浄器の浄化ファンがむき出しに近い状態となり、モータ音が騒音となる。
（５）１つの装置に対して１つないし数個の植物しか植えることができないので、多様な植栽を行う場合には装置の数を増やす必要がある。
（６）室内に装置を設置すると、装置の上部に残る空間は活用できない空間となってしまい空間利用効率が悪くなる。
【０００５】
この発明の目的は、床面積当たりの空気浄化効率を高めることができると共に、高密度で多様な植栽の緑化が可能で、空間利用効率が高い室内空気清浄緑化装置を提供することである。
【課題を解決するための手段】
【０００６】
この発明の室内空気清浄緑化装置は、土壌層を有し外周面に植物が植えられる通気可能な外周壁と、この外周壁による囲み空間内に被浄化空気を導入しその導入空気を前記土壌層内を通過させて前記外周壁の外部に排出させるファンと、前記外周壁の下方に設けられて前記土壌層の排水を受ける貯水タンクとを備える。
【０００７】
この構成によると、次の各利点が得られる。
・立面となる外周壁で空気を浄化する壁面緑化空気清浄形式となるため、水平面で空気を浄化する場合に比べて、床面積当たりの浄化効率を高めることができる。
・外周壁の外周面に植物が植えられる壁面緑化であるため、プランター型と比較して大規模な室内空間でも省スペースで高密度の緑化が可能となる。
・プランター型と比較して１つのファンで空気の導入・排出をまかなえるため、この点でも空気浄化効率を高めることができる。
・壁面緑化形式のために植物を植える広い面が得られ、１つの装置により多様な植物を植えることができる。
・装置の高さを高くすることで、室内の高い位置までこの装置の設置に利用できて、室内の上部空間が無駄にならず有効に利用することができ、空間利用効率を高めることができる。
・土壌層を有する外周壁の囲み空間内にファンが位置するため、土壌層の持つ防音効果により、ファンから発するモータ音も含めた騒音を低減することができる。
・以上のように、床面積当たりの空気浄化効率を高めることができると共に、高密度で多様な植栽の緑化が可能で、空間利用効率も高めることができる。
【０００８】
この発明において、前記貯水タンクの水を前記土壌層内に供給する灌水装置を設けても良い。灌水装置を設けた場合、貯水タンクの水を土壌層内に循環供給することができ、灌水作業の省略が可能となる。
【０００９】
この発明において、前記囲み空間を、前記ファンによる空気の吸気口を除いて気密状態に保つ密閉手段を設けても良い。これにより、前記ファンの吸引力を効率良く利用し、吸引空気を土壌層に通すことができる。
【００１０】
この発明において、前記囲み空間内に被清浄空気を導入するダクトを設けても良い。ダクトを設けると、この装置から離れた箇所や別の部屋の空気の清浄が行える。
【００１１】
この発明において、前記外周壁が、壁厚方向の内外にそれぞれ配置された内周側および外周側の網体と、これら内周側および外周側の網体間に充填された前記土壌層と、前記内周側の網体に沿って設けられた土留めシートとでなるものとしても良い。これにより、壁面の土壌層を崩れることなく支持し、外周に植物を植えると共に、土壌層に空気を通すことが実現できる。
【発明の効果】
【００１２】
この発明の室内空気清浄緑化装置は、土壌層を有し外周面に植物が植えられる通気可能な外周壁と、この外周壁による囲み空間内に被浄化空気を導入しその導入空気を前記土壌層内を通過させて前記外周壁の外部に排出させるファンと、前記外周壁の下方に設けられて前記土壌層の排水を受ける貯水タンクとを備えるため、床面積当たりの空気浄化効率を高めることができると共に、高密度で多様な植栽の緑化が可能で、空間利用効率も高めることができる。
【図面の簡単な説明】
【００１３】
【図１】この発明の第１の実施形態にかかる室内空気清浄緑化装置の断面図である。
【図２】同室内空気清浄緑化装置の外観斜視図である。
【図３】同室内空気清浄緑化装置の平面図である。
【図４】同室内空気清浄緑化装置における外周壁を構成する網体の斜視図である。
【図５】同室内空気清浄緑化装置における灌水装置の斜視図である。
【図６】同室内空気清浄緑化装置の他の構成例を示す平面図である。
【図７】この発明の他の実施形態にかかる室内空気清浄緑化装置の断面図である。
【図８】同室内空気清浄緑化装置の外観斜視図である。
【図９】この発明のさらに他の実施形態にかかる室内空気清浄緑化装置の外観斜視図である。
【図１０】この発明のさらに他の実施形態にかかる室内空気清浄緑化装置の外観斜視図である。
【図１１】この発明のさらに他の実施形態にかかる室内空気清浄緑化装置の外観斜視図である。
【図１２】この発明のさらに他の実施形態にかかる室内空気清浄緑化装置の外観斜視図である。
【図１３】従来例の斜視図である。
【図１４】他の従来の斜視図である。
【発明を実施するための形態】
【００１４】
この発明の第１の実施形態を図１ないし図６と共に説明する。この室内空気清浄緑化装置は、土壌層４を有し外周面に植物５が植えられる通気可能な外周壁１と、この外周壁１の下方に設けられて前記土壌層４の排水を受ける貯水タンク３と、前記外周壁１による囲み空間６内に被浄化空気Ａを導入しその導入空気Ａを前記土壌層４内を通過させて前記外周壁１の外部に排出させるファン２とを備える。
【００１５】
前記外周壁１は、図３に平面図で示すように円筒状に形成され、図１のように、その壁厚方向の内外にそれぞれ配置された内周側および外周側の網体７，８と、これら内周側および外周側の網体７，８間に充填された土壌層４と、内周側の網体７に沿って設けられた土留めシート９とでなる。土留めシート９は、通気性を有する例えば不織布などの素材からなる。網体７，８は金属製等とされる。
【００１６】
内周側の網体７と外周側の網体８との間の環状の空間は、図４のように横仕切り板１１で複数の区画空間に仕切られ、各区画空間に前記土壌層４を構成する軽量土壌が充填される。土壌層４を構成する素材としては、軽量土壌のほか、セラミックなどを用いても良い。このように、横仕切り板１１で複数に仕切られた区画空間に軽量土壌を充填することにより、軽量土壌を内外の網体７，８の間の環状で高い空間内に、偏りなく均等に充填することができる。横仕切り板１１は、網体で構成される。これにより、上方から土壌層４に灌水を行ったとき、横仕切り板１１に遮られることなく土壌層４の全域に灌水することができる。
【００１７】
図１に示すように、外周壁１の囲み空間６は、その天端が密閉手段となる密閉板１２によって密閉されている。具体的には、密閉板１２の中央に被浄化空気Ａを導入する吸気口１２ａが設けられ、その中央位置に前記ファン２が設けられ、吸気口１２ａを除いて前記囲み空間６が気密状態に保たれる。
【００１８】
前記土壌層４への灌水は灌水装置１３によって行われる。この灌水装置１３は、貯水タンク３の水１４を外周壁１の囲み空間６内に配置したポンプ１５で吸引して、これを土壌層４内に配管した給水管１６を経て土壌層４内に供給するようにしたものである。給水管１６は、図５に示すように、ポンプ１５から土壌層４内の内周側に沿って上方に立ち上がる基管部１６ａと、この基管部１６ａの途中部分と上端とから分岐して土壌層４の内周側を周回する２段の環状管部１６ｂ，１６ｃとでなり、各環状管部１６ｂ，１６ｃには、周方向に等配して複数の給水口１７が設けられている。これにより、ポンプ１５により吸引された貯水タンク３の水１４が土壌層４内の各部に均等に供給される。このように灌水装置１３を設けることで、貯水タンク３の水１４を土壌層４内に循環供給することができ、灌水作業の省略が可能となる。蒸発等により貯水タンク３内の水の量が減ると、適宜の手段で貯水タンク３内へ水を補給する。
【００１９】
貯水タンク３の周壁には排水管１８が設けられ、貯水タンク３内の水１４のレベルが排水管１８の設置位置より高くなると、貯水タンク３内の水１４は排水管１８より外部に排水される。貯水タンク３の底部にはキャスタ１９が設けられ、これにより室内空気清浄緑化装置は床面上を移動自在とされる。
【００２０】
なお、この室内空気清浄緑化装置の高さは、例えば室内の床面から天井面付近に達する高さであっても、また机程度の高さよりも低いものであっても良い。
【００２１】
上記構成の室内空気清浄緑化装置によると、土壌層４を有し外周面に植物５が植えられる通気可能な外周壁１と、この外周壁１による囲み空間６内に被浄化空気Ａを導入しその導入空気Ａを土壌層４内を通過させて外周壁１の外部に排出させるファン２と、外周壁１の下方に設けられて土壌層４の排水を受ける貯水タンク３とを備えるので、床面積当たりの空気浄化効率を高めることができると共に、高密度で多様な植栽の緑化が可能で、空間利用効率も高めることができる。
すなわち、立面となる外周壁１で空気を浄化する壁面緑化空気清浄形式となるため、水平面で空気を浄化する場合に比べて、床面積当たりの浄化効率を高めることができる。また、立面となる外周壁１の外周面に植物５が植えられる壁面緑化空気清浄形式であるため、大規模な室内空間でも省スペースで高密度の緑化が可能となる。また、１つのファン２で空気の導入・排出をまかなえるため、この点でも空気浄化効率を高めることができる。物を植える広い面が得られるため、１つの装置により多様な植物を植えることもできる。また、装置の高さを高くすることで、室内の高い位置までこの装置の設置に利用できて、室内の上部空間が無駄にならず有効に利用することができ、空間利用効率を高めることができる。さらに、外周壁１の土壌層４の持つ防音効果により、ファン２から発するモータ音も含めた騒音を低減することができる。
【００２２】
なお、図３では、外周壁１が円筒状の例の場合の平面図を示したが、外周壁１はこれに限らず、例えば図６のように円に近い多角形の筒状であっても良い。
【００２３】
図７および図８は、この発明の他の実施形態を示す。この室内空気清浄緑化装置は、図１〜図５に示す第１の実施形態において、外周壁１の囲み空間６内に被清浄空気Ａを導入するダクト２０を設けたものである。ダクト２０の上端は囲み空間６の天端の密閉板１２を貫通して上方に突出する。ダクト２０の下端は、囲み空間６の下部に達して、被浄化空気Ａを導入するファン２が配置された密閉空間２１に連通している。ダクト２０の周壁には、ダクト２０に導入された被清浄空気Ａを外周壁１の囲み空間６内に導出する複数の排気孔２２が設けられる。これにより、ダクト２０から導入された被清浄空気Ａは、ダクト２０の排気孔２２から外周壁１の囲み空間６内に導出され、さらに外周壁１の土壌層４を通過して外周壁１の外部に排出される。このようにダクト２０を設けた場合、この装置から離れた箇所や別の部屋の空気の清浄が行える。その他の構成および作用効果は第１の実施形態の場合と同様である。
【００２４】
図９は、この発明のさらに他の実施形態を示す。この室内空気清浄緑化装置は、図１〜図５に示す第１の実施形態において、外周壁１を方形の角筒状としたものである。その他の構成および作用効果は第１の実施形態の場合と同様である。
【００２５】
図１０は、この発明のさらに他の実施形態を示す。この室内空気清浄緑化装置は、図１〜図５に示す第１の実施形態において、外周壁１の上部に外周壁１と同じ円形の天板２３を設けたものである。この構成の場合、外周壁１に、前記囲み空間６（図１０には図示せず）の内外に通じる吸気口（図示せず）を設ける。その他の構成は第１の実施形態の場合と同様である。
このように、外周壁１の上部に円形の天板２３を設けた場合、室内空気清浄緑化装置をテーブルとしても用いることができる。その他の作用効果は第１の実施形態の場合と同様である。
【００２６】
図１１は、この発明のさらに他の実施形態を示す。この室内空気清浄緑化装置は、図９に示す実施形態において、外周壁１の上部に外周壁１と同じ方形の天板２３を設けたものである。その他の構成および作用効果は図９の実施形態の場合と同様である。
【００２７】
図１２は、この発明のさらに他の実施形態を示す。この室内空気清浄緑化装置は、図１図５に示す第１の実施形態において、外周壁１を、一対の平行な平面状外壁面部１ａ，１ａを有する両面形としたものである。外周壁１における前記平面状外壁面部１ａ，１ａと直交する両側の端面１ｂ，１ｂは、土壌層を設けない。この構成の場合も、図１〜図５に示す実施形態と同様な各作用，効果が得られる。その他の構成は第１の実施形態の場合と同様である。
【符号の説明】
【００２８】
１…外周壁
２…ファン
３…貯水タンク
４…土壌層
５…植物
６…囲み空間
７，８…網体
９…土留めシート
１２…密閉板
１２ａ…吸気口
１３…灌水装置
２０…ダクト
【図１】
2014064517.tif 000003
【図２】
2014064517.tif 000004
【図３】
2014064517.tif 000005
【図４】
2014064517.tif 000006
【図５】
2014064517.tif 000007
【図６】
2014064517.tif 000008
【図７】
2014064517.tif 000009
【図８】
2014064517.tif 000010
【図９】
2014064517.tif 000011
【図１０】
2014064517.tif 000012
【図１１】
2014064517.tif 000013
【図１２】
2014064517.tif 000014
【図１３】
2014064517.tif 000015
【図１４】
2014064517.tif 000016